(57)【要約】  管状の構造要素からなる枠組をそれぞれ有する部分を含むエアハンドリングシステムであって、上記の管状の構造要素は、隣接する開口部と共通の構造要素を共有するそれぞれ互いに垂直に配置された開口部を画成する。上記開口部は、これらの開口部に掛留されたパネルによって閉じられる。このようなアセンブリは、矩形の開口部の周辺部にそれぞれ設置される。各々のアセンブリは、プレートの対向する端部に沿ってそれぞれ延在する２つの球状シールを有する剛直なプレートを含み、これらのシールは、プレートと共に押出成形されている。上記プレートは、共有される各々の構造要素の内側角部の端部に沿って約４５°で取り付けられており、プレートの一端のシールが１つの開口部を封止し、他方のシールが隣接する開口部を封止する。シールの端部は、留め接ぎされており、プレートは、組立時に構造要素を支持する成形された角部保持器に形成されたスロットに挿入される。開口部を囲む４つのシールの留め接ぎされた角部は、接触するように配置され、モジュール部分の各々の開口部の周囲に確実動作のシールを形成する。
2005514574.tif 000002
【特許請求の範囲】
【請求項１】
互いに垂直に配置された矩形の開口部を備える枠組をそれぞれ有し、かつこれらの開口部が該開口部に掛留された密なはめ込みパネルによって閉じられているモジュール部分と、前記開口部内に前記パネルを封止する封止装置と、を含むエアハンドリングユニットであって、前記封止装置は、
前記パネル開口部が互いに垂直に配置された隣接するパネル開口部と共通の構造要素をそれぞれ共有するように、各々のパネル開口部の周囲に取り付けられた管状の構造要素を含み、
前記共通の構造要素は、該要素に沿って延在するレールをそれぞれ含んでおり、
前記レール上に取り付けられ、かつ対向する端部に沿ってそれぞれ取り付けられた球状シールを備える剛直な延長プレートを有するシールアセンブリを含み、前記プレートの一方の端部に沿って延在する球状シールが、隣接するパネル開口部の１つに収容された第１のパネルを封止可能となっており、かつ他方の端部に沿って延在するシールが、隣接するパネル開口部に収容された第２のパネルを封止可能となっていることを特徴とするエアハンドリングユニット。
【請求項２】
前記構造要素は、四角い管状部材であることを特徴とする請求項１記載のエアハンドリングユニット。
【請求項３】
前記レールは、共有される要素の内側角部の１つに沿ってそれぞれ延在していることを特徴とする請求項２記載のエアハンドリングユニット。
【請求項４】
パネルの開口部を形成する管状部品を接続する角部片をさらに含むことを特徴とする請求項３記載のエアハンドリングユニット。
【請求項５】
各々の角部片は、一連のプレート開口部を備えており、これらの開口部は、前記パネル開口部の角部でそれぞれ合わさるプレートの一端を収容するように設けられていることを特徴とする請求項４記載のエアハンドリングユニット。
【請求項６】
各々のプレート開口部は、これらのプレート開口部の外部に前記シールアセンブリの対向する側端部上の球状シールが延在するように、スロットを備えていることを特徴とする請求項５記載のエアハンドリングユニット。
【請求項７】
前記球状シールは、各々の角部片において接触するように配置されており、これらの球状シールは、前記開口部をそれぞれ囲んでいることを特徴とする請求項６記載のエアハンドリングユニット。
【請求項８】
各々の角部片は、中央ハブと、このハブから延在する３つの垂直のアーム部と、を含むことを特徴とする請求項４記載のエアハンドリングユニット。
【請求項９】
前記アーム部は、それぞれ先細となって前記パネル開口部を囲む前記構造要素の１つに挿入される遠位の端部を有することを特徴とする請求項８記載のエアハンドリングユニット。
【発明の詳細な説明】
【技術分野】
【０００１】
本発明は、エアハンドリングシステムに関し、特に、エアハンドリングシステム用のパネルシールに関する。
【背景技術】
【０００２】
現在使用されているエアハンドリングユニットには、開口した構造的な骨組を備えるものがあり、骨組の開口部は、開口部を形成する構造要素を封止するパネルによって閉じられている。裏に接着剤が付いたガスケットが、パネルの内側周辺部に配置され、これらのガスケットは、構造要素と圧接してパネルの周囲からユニット外に空気が流れるのを防止するシールを形成する。これらのガスケットは、何度も切ったりはめたりする必要があるため設置が困難であり、多量のスクラップ材料を生じさせる。また、シールを形成するために必要な均一な圧力を実現することが非常に困難な場合が多く、結果としてユニットに漏れが発生してしまう。ある期間にわたってパネルを繰り返し外したり付けたりすることで、接着材料が弱くなったり損傷したりするおそれがあり、このことによっても、ユニットの漏れおよびガスケットの最終的な交換が発生しうる。
【発明の開示】
【発明が解決しようとする課題】
【０００３】
従って、本発明の目的は、エアハンドリングユニットを改善することである。
【０００４】
本発明の他の目的は、エアハンドリングユニットで使用されるパネルシールを改善することである。
【０００５】
本発明のまた他の目的は、ユニットに迅速に設置可能なパネルシールを提供することである。
【０００６】
本発明のさらに他の目的は、シールの完全性を損なわずに、パネルを繰り返し外したり付けたりすることができるエアハンドリングユニット用のパネルシールを提供することである。
【課題を解決するための手段】
【０００７】
本発明の上述およびその他の目的は、連結されたモジュール部分を有するエアハンドリングユニットでの使用に適したシールアセンブリによって達成される。各々の部分は、矩形の開口部を有する枠組を含む。これらの開口部は、一連のラッチ機構によって開口部に固定されたパネルによって閉じられる。矩形の開口部をそれぞれ形成する構造要素は、シールアセンブリを摺動可能に収容するガイドレールをそれぞれ備えている。各々のシールアセンブリは、一対の弾性的な球状シールを含み、これらの球状シールは、ガイドレールと摺動接触して係合するように設けられた硬いつまり剛直な支持プレートの対向する側方端部に沿って共に押出し成形されている。開口部を形成する構造要素は、角部片によって合わさっている。これらの角部片には、開口部を囲む剛直な支持プレートの端部を収容するためのスロットが形成されている。球状シールは、組立時に開口部の周辺部を囲むように、スロットの外部に延在するとともに角部で互いに接触しており、パネルが開口部に掛留されたときにパネルによってシールが圧縮され、構造要素との間に漏れのない接合部が提供される。
【０００８】
典型的に、枠組の開口部は、互いに対して垂直に配置されている。ガイドレールは、２つの隣接する開口部によって共有される構造要素に取り付けられており、支持プレートの一端に沿って延在する球状シールは、隣接する開口部の一方を封止するように機能し、他方の球状シールは、隣接する開口部の他方を封止するように機能する。
【発明を実施するための最良の形態】
【０００９】
図１を参照すると、本発明の教示を具体化したエアハンドリングユニット１０の一部が示されている。このユニットは、一連の矩形モジュール部分を含み、これらのモジュール部分は、特別に作成したパネル１２によって閉じられる一連の開口部１１を有する骨組をそれぞれ備えている。パネル１２は、ユニットの内部と周囲環境との間の熱伝達を妨げる断熱壁として機能する。パネルは、熱の流れに対する優れた断熱壁を提供するが、パネルと開口部を画成する骨組との間を通って空気が移動して、パネルによって提供される断熱壁の完全性を損なうおそれがある。以下でさらに詳細に説明するが、本発明は、構造要素に支持されるとともに組立時に各々のパネルの周辺部全体を塞ぐシールに関し、これにより、さらなる断熱部が提供されるとともにユニットのパネルと骨組との間における空気の移動が防止される。
【００１０】
図２〜図７にさらに示されているように、骨組は、組立時に閉じた流路を形成するように連結される個々のモジュール部分を含み、この流路は、所望の移動経路に沿って調和空気などを案内する。ユニットの各々のモジュール部分は、一対の対向する端部フレーム１４，１５を含み、これらの端部フレーム１４，１５は、２つの上部ビーム１７と２つの下部ビーム１８とを含む四角い管状の水平ビームによって連結されている。各々の端部フレームは、一対の四角い管状の側方レール２０，２１と、上部レール２３と、これに対向する下部レール２４と、をさらに含む。各部分のレールおよびビームは、角部片２５によって接続されている。角部片は、中央ハブ２６と、このハブから延在する垂直に配置された３つのアーム部２７〜２９と、をそれぞれ含む。２つのアーム部２７，２８（図７参照）は、共通の水平面上に位置し、第３のアーム２９は、垂直面上に位置する。図示されていないが、各々のアームの遠位の端部は、先細となっており（ｎｅｃｋｅｄ  ｄｏｗｎ）、端部片に接続された中空でかつ管状の構造要素の内部に摺動可能に収容される。よって、モジュール部分は、互いに垂直に配置された４つの隣接する開口部をそれぞれ含み、これらの開口部は、隣接する開口部と共通の構造要素を共有する。
【００１１】
ユニットの骨組の構造要素は、金属製であり、この金属は、多くの金属と同様に熱伝導性が比較的高い。反対に、角部片は、熱伝導性が比較的低い、すなわち金属要素よりも熱伝導性がかなり低い高強度塑性材料によって構成されている。角部片は、パネルと同様に、熱の通過に対する断熱部として機能する程度の熱伝導性を有する。
【００１２】
各々の管状の構造要素は、外向きに延在する一対の平らなフランジ３０，３１を含み、これらのフランジ３０，３１は、共同して、共有される構造要素のそれぞれの内側角部の端部３２に沿って延在するガイドレールとして機能する。２つのフランジの高さは、ほぼ等しく、各々のフランジは、共有される要素の内側角部で接触する近位の端部をそれぞれ含む。
【００１３】
図４に最もよく示されているシールアセンブリ３５が、２つの垂直なフランジの延長された外側端部に摺動可能に取り付けられる。シールアセンブリは、内側に曲げられた端部３８，３９を備える剛直なプレート３７を含み、これらの端部３８，３９は、シールアセンブリをフランジに摺動可能に固定するために、フランジの外側端部に引っかかるように設けられている。球状のシール４０，４１が、プレートの側方端部に坦持されているとともにプレートの全長にわたって延在する。シールおよびプレートは、異なるジュロメータ硬さを有する材料から共に押出し成形されている。プレートは、球状シールが弾性材料で形成されるときに形状を保つような比較的硬い材料で形成される。図３に示されているように、球状シールは、フレームパネル１２などの圧縮体の形状に一致するように簡単に圧縮して、このような圧縮体に対して確実動作のシールを形成することができる。
【００１４】
図７に示すように、シール支持プレートの両方の端部が、各々の角部片のハブに形成された開口部４３に収容されており、プレートの本体部分が開口部内にスライド式に伸びる。開口部の側壁にはスロット４５が切られており、各々の開口部から対向する２つのシールが外側に延在することが可能となっている。
【００１５】
図に示されているように、それぞれの角部片で３つのシールアセンブリが合わさる。各々のシールアセンブリに含まれるシールの端部４８は、４５°で留め接ぎされており、それぞれの角部片においてシールの端部が合わさって間に漏れのない接合部を形成している。以上により明らかとなるように、フレームの各々の開口部の周辺部にわたって４つのシールが延在する。図３に示すように、開口部にパネルが挿入されると、４つのシールは、パネルの内側面によって圧縮されて開口部を完全に封止する。各々のパネルは、パネル全体を囲む側壁に設けられた内向きのリセス５０を有する。一連のラッチ機構５３が、開口部をそれぞれ囲む構造要素の内部に取り付けられている。これらのラッチ機構は、支持構造要素内に固定されたトラニオン５５に回転可能に取り付けられた円筒形の回転子５４をそれぞれ含む。掛留アーム部５６が回転子の自由端に固定されている。このアームは、図２に示す、アームが構造要素の内部に位置する第１の引っ込んだ位置と、図３に示す、アーム部がパネルを囲むリセスの側壁と接触してパネル開口部を囲む球状のシールと密に接触するようにパネルを保持する固定位置と、の間で回転子によって回転可能となっている。
【００１６】
全てのパネルが定位置に固定された状態では、ユニット内の空気は、シール、角部片、およびパネルの内側壁のみと接する。これらの３つの構成要素は、全て非常に低い熱伝導性、すなわち金属製のビームおよびレール部材よりも低い熱伝導性を有する。従って、エアハンドリングユニットの内部と周囲環境との間に延びてユニットの壁を通って熱を容易に伝達する伝導経路が存在しない。これにより、ユニットの外側壁に水分が凝縮することが防止されるとともに、ユニットを通って調和空気をより効果的に案内することが可能となる。
【００１７】
特に図面に示した好適実施例を参照して、本発明を開示および説明したが、当業者であれば分かるように、請求項によって定められる本発明の趣旨および範囲から逸脱することなく、その詳細に種々の変更を加えることができる。
【図面の簡単な説明】
【００１８】
【図１】本発明に係るエアハンドリングユニットの一部を示す斜視図である。
【図２】フレーム開口部の１つからパネルを取り外した状態を示す、図１の２−２線に沿った拡大断面図である。
【図３】開口部にパネルを固定した状態を示す、図２と同様の拡大断面図である。
【図４】本発明で使用するシールアセンブリの拡大説明図である。
【図５】パネルを取り外した状態におけるエアハンドリングユニットのフレーム角部の斜視図である。
【図６】角部片に一対のシールアセンブリが保持されている状態を示す、本発明で使用する角部片の拡大説明図である。
【図７】１つのシールアセンブリを角部片から引き抜いた状態を示す、図６と同様の拡大説明図である。
【図１】
2005514574.tif 000003
【図２】
2005514574.tif 000004
【図３】
2005514574.tif 000005
【図４】
2005514574.tif 000006
【図５】
2005514574.tif 000007
【図６】
2005514574.tif 000008
【図７】
2005514574.tif 000009
【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
互いに垂直に配置された矩形のパネル開口部を備える枠組をそれぞれ有し、かつこれらのパネル開口部が該パネル開口部に掛留された密なはめ込みパネルによって閉じられているモジュール部分と、前記パネル開口部内に前記パネルを封止する封止装置と、を含むエアハンドリングユニットであって、前記封止装置は、
前記パネル開口部が互いに垂直に配置された隣接するパネル開口部と共通の構造要素をそれぞれ共有するように、各々のパネル開口部を構成するように取り付けられた管状の構造要素を含み、
前記共通の構造要素は、該要素に沿って延在するレールをそれぞれ含んでおり、
前記レール上に取り付けられ、かつ対向する端部に沿ってそれぞれ取り付けられた球状シールを備える剛直な延長プレートを有するシールアセンブリを含み、前記プレートの一方の端部に沿って延在する球状シールが、隣接するパネル開口部の１つに収容された第１のパネルを封止可能となっており、かつ他方の端部に沿って延在するシールが、隣接する垂直に配置されたパネル開口部に収容された第２のパネルを封止可能となっていることを特徴とするエアハンドリングユニット。
【請求項２】
前記構造要素は、四角い管状部材であることを特徴とする請求項１記載のエアハンドリングユニット。
【請求項３】
前記レールは、前記共通の構造要素の内側角部の１つに沿ってそれぞれ延在していることを特徴とする請求項２記載のエアハンドリングユニット。
【請求項４】
パネルの開口部を形成する管状部品を接続する角部片をさらに含むことを特徴とする請求項３記載のエアハンドリングユニット。
【請求項５】
各々の角部片は、一連のプレート開口部を備えており、これらの開口部は、前記パネル開口部の角部でそれぞれ合わさるプレートの一端を収容するように設けられていることを特徴とする請求項４記載のエアハンドリングユニット。
【請求項６】
各々のプレート開口部は、これらのプレート開口部の外部に前記シールアセンブリの対向する側端部上の球状シールが延在するように、スロットを備えていることを特徴とする請求項５記載のエアハンドリングユニット。
【請求項７】
前記球状シールは、各々の角部片において接触するように配置されており、これらの球状シールは、前記パネル開口部をそれぞれ囲んでいることを特徴とする請求項６記載のエアハンドリングユニット。
【請求項８】
各々の角部片は、中央ハブと、このハブから延在する３つの垂直のアーム部と、を含むことを特徴とする請求項４記載のエアハンドリングユニット。
【請求項９】
前記アーム部は、それぞれ先細となって前記パネル開口部を囲む前記管状の構造要素の１つに挿入される遠位の端部を有することを特徴とする請求項８記載のエアハンドリングユニット。
【国際調査報告】
2005514574.tif 000010
2005514574.tif 000011